【手続補正書】
【提出日】令和2年6月22日(2020.6.22)
【手続補正１】
【補正対象書類名】特許請求の範囲
【補正対象項目名】全文
【補正方法】変更
【補正の内容】
【特許請求の範囲】
【請求項１】
炭素−水素(Ｃ−Ｈ)結合を含むポリマー基質に特性付与化合物をグラフト化する方法であって、
ａ)基質を提供すること；
ｂ)基質の少なくとも一部に被覆された特性付与化合物の均一な乾燥層を得るために、および式(Ｉ)
【化１】
2019534078.tif 000001
〔式中、
Ｘ１、Ｘ２、Ｘ３およびＸ４は独立して水素もしくはフッ素原子、Ｃ１−Ｃ６アルキル基、ＮＯ２またはＯＨを表し、
ＬはＮＨ、−Ｃ(Ｏ)Ｏ−、−Ｓ−、−Ｃ(Ｏ)ＮＨ−、−ＮＨＣ(Ｏ)−、−ＯＣ(Ｏ)−、−ＮＨＣ(Ｏ)ＮＨ−、−ＮＨＣ(Ｓ)ＮＨ−、−Ｃ(Ｏ)ＮＲＣ(Ｏ)−(ここで、ＲはＣ１−Ｃ６アルキルまたはトリアゾリルを表す)、好ましくはＮＨ、−Ｃ(Ｏ)Ｏ−、−Ｓ−、−Ｃ(Ｏ)ＮＨ−、−ＮＨＣ(Ｏ)−、−ＯＣ(Ｏ)−、−ＮＨＣ(Ｏ)ＮＨ−または−ＮＨＣ(Ｓ)ＮＨ−、より好ましくは−Ｃ(Ｏ)ＮＨ−、−ＮＨＣ(Ｏ)−、−Ｃ(Ｏ)Ｏ−、ＮＨまたは−ＮＨＣ(Ｓ)ＮＨ−を表す〕
の光活性アリールアジド部分を含む前記特性付与化合物で被覆し、基質の少なくとも一部を被覆する特性付与化合物の均一な乾燥層を得て、前記式(Ｉ)のアリールアジド部分を基質の炭素−水素結合と共有結合近接にさせること；
ｃ)基質の炭素−水素結合への挿入反応に供されるナイトレンを形成するのに十分な時間ｔ１(ｔ１は３０分以下である)の間、被覆された基質を反応光源、好ましくはＵＶまたはＩＲ源で照射し、それによりグラフト化ポリマー基質を得ること；
ｄ)場合により得られたグラフト化ポリマー基質を洗浄すること；
ｅ)工程ｂ)、ｃ)および場合によりｄ)を少なくとも１回、好ましくは最大９回、より好ましくは４回繰り返すこと；および
ｆ)場合により工程ｅ)の終了時に得たグラフト化基質を乾燥させること
を含み、前記特性付与化合物が防汚特性、抗菌特性を提供する、またはＭＲＩ蛍光画像化のような医用画像化において基質を放射線不透過性にするまたは可視化するまたは近赤外画像化により可視化するものである、方法。
【請求項２】
ポリマー基質が埋め込み型ポリマー基質である、請求項１に記載の方法。
【請求項３】
ポリマー基質が脂肪族ポリエステルおよびコポリエステル、脂肪族ポリエステルおよびポリエーテルのコポリマー、ポリカーボネート、ポリジオキサノン、ポリプロピレン、ポリエチレン、ポリエチレンテレフタレート、ポリエチレンオキシド、ポリ尿素、ポロキサマー、ポロキサミン、シリコーン、ポリカルボキシレート、ポリエーテルエーテルケトン、ＡＢＳ、ポリスチレン、ポリ塩化ビニルならびにポリアクリレートから選択される、請求項１または２に記載の方法。
【請求項４】
特性付与化合物が繰り返し単位Ａに富むブロックまたは領域を有する親水性ブロックまたはグラジエントコポリマーであり、前記繰り返し単位Ａが表面修飾基質の表面に共有結合した窒素原子を有する請求項１で定義される式(Ｉ)の光活性アリールアジド部分を含み、親水性ブロックまたはグラジエントコポリマーが防汚特性を付与する、請求項１〜３のいずれか一項に記載の方法。
【請求項５】
親水性ブロックまたはグラジエントコポリマーが少なくとも繰り返し単位ＡおよびＢを含み、ここで
繰り返し単位Ａが請求項１で定義される式(Ｉ)の光活性アリールアジド部分を含み、
繰り返し単位Ｂが請求項１で定義される式(Ｉ)の光活性アリールアジド部分を含まない、
請求項４に記載の方法。
【請求項６】
繰り返し単位Ａと繰り返し単位Ｂのモル比(繰り返し単位Ａ／繰り返し単位Ｂ)が０．０１％〜５０％、好ましくは０．１％〜２０％、さらにより好ましくは０．５％〜１０％である、請求項５に記載の方法。
【請求項７】
親水性ブロックまたはグラジエントコポリマーがポリ(エチレングリコール)、ポリ(エチレンオキシド)、ポリ((メタ)アクリレートＰＥＧ)、ポリ((Ｃ１−Ｃ６)アルキルアミノ(メタ)アクリレート)、２００００ｇ．ｍｏｌ−１未満の分子量を有する直鎖状ポリ(四級アンモニウム)、双性イオン性ポリ(ベタイン)、ポリ(ビニルピロリドン)、ポリリシン、ポリオキサゾリン、ポリオキサジン、ポリサルコシンブロックまたはグラジエントコポリマーまたはポリオキサゾリン−ポリサルコシンブロック−コポリマーまたはポリオキサゾリン−ポリオキサジンコポリマーである、請求項４〜６のいずれか一項に記載の方法。
【請求項８】
特性付与化合物が、
−四級化ポリマーがＣ３−Ｃ１５アルキル、好ましくはＣ７−Ｃ９アルキルで四級化された四級化ポリ(ビニルピリジン)、四級化ポリ(ジメチルアミノエチルアクリレート)、直鎖状四級化ポリ(エチレンイミン)、ポリリシン、四級化ポリリシン、四級化ポリ(５−アミノ−δ−バレロラクトン)のコポリエステル、四級化ポリオキサゾリン−ポリエチレンイミンコポリマー、
−式(ＩＩａ)：
【化２】
2019534078.tif 000002
〔式中、
Ｘ１〜Ｘ４およびＬは上で定義されるとおりであり、
ｑは０〜１０、好ましくは１〜８の整数であり、
ｒは０〜３０００、好ましくは０〜５００の整数であり、
Ｒ１およびＲ２はそれぞれ、独立して水素原子またはＣ１−Ｃ６アルキル基から選択され、
Ｒ３は独立して水素原子またはＣ１−Ｃ９アルキル基から選択され、そして
Ｂ−は薬学的に許容されるアニオンを表す〕
の四級アンモニウム、
−式(ＩＩｂ)：
【化３】
2019534078.tif 000003
〔式中、
Ｘ１〜Ｘ４およびＬは上で定義されるとおりであり、
ｑは０〜１０、好ましくは１〜８の整数であり、
ｒは０〜３０００、好ましくは０〜５００の整数であり、
Ｒ１およびＲ２はそれぞれ、独立して水素原子またはＣ１−Ｃ６アルキル基から選択され、
Ｒ３は独立して水素原子またはＣ１−Ｃ９アルキル基から選択され、そして
Ｂ−は薬学的に許容されるアニオンを表す〕
の四級ホスホニウム、
−式(ＩＩｃ)
【化４】
2019534078.tif 000004
〔式中、
Ｘ１〜Ｘ４およびＬは上で定義されるとおりであり、
ｑは０〜１０、好ましくは１〜８の整数であり、
ｒは０〜３０００、好ましくは０〜５００の整数であり、
Ｒは水素原子またはＣ１−Ｃ９アルキル基から選択され、そして
Ｂ−は薬学的に許容されるアニオンを表す〕
の四級ピリジニウム、
−好ましくはポリアルギニン(例えばオクタアルギニンＡｒｇ８)、オーレインおよびポリミキシンＢから選択され、請求項１で定義される式(Ｉ)の末端基を含む２５個以下のアミノ酸の抗菌性ペプチド
から選択される抗菌剤である、請求項１〜３のいずれか一項に記載の方法。
【請求項９】
特性付与化合物が放射線不透過性ヨード造影剤、ガドリニウム錯体、蛍光化合物または近赤外蛍光化合物であり、ポリマー基質が好ましくは埋め込み型である、請求項１〜３のいずれか一項に記載の方法。
【請求項１０】
特性付与化合物がＤＯＴＡ(１，４，７，１０−テトラアザシクロドデカン−１，４，７，１０−テトラ酢酸)、ＤＴＰＡ(ジエチレントリアミノペンタ酢酸)、ＤＯ３Ａ(１，４，７，１０−テトラアザシクロドデカン−１，４，７−トリ酢酸)、ＨＰＤＯ３Ａ(１０−(２−ヒドロキシプロピル)−１，４，７，１０−テトラアザ−シクロドデカン−１，４，７−トリ酢酸)、ＴＲＩＴＡ(１，４，７，１０−テトラキス(カルボキシメチル)−１，４，７，１０−テトラアザシクロトリデカン)、ＴＥＴＡ(１，４，８，１１−テトラキス(カルボキシメチル)−１，４，８，１１−テトラアザシクロテトラデカン)、ＢＯＰＴＡ(４−カルボキシ−５，８，１１−トリス(カルボキシメチル)−１−フェニル−２−オキサ−５，８，１１−トリアザトリデカン−１３−酸)、ＮＯＴＡ(１，４，７−トリアザシクロノナン−Ｎ，Ｎ’，Ｎ４４−トリ酢酸)、ＰＣＴＡ(３，６，９，１５−テトラアザビシクロ［９．３．１］ペンタデカ−１(１５)，１１，１３−トリエン−３，６，９−トリ酢酸)、ＤＯＴＭＡ((α、α’、α’’、α’’’)−テトラメチル−１，４，７，１０−テトラアザシクロドデカン−１，４，７，１０−テトラ酢酸)、ＡＡＺＴＡ(６−アミノ−６−メチルペルヒドロ−１，４−ジアゼピンテトラ酢酸)およびＨＯＰＯ(１−ヒドロキシピリジン−２−オン)のガドリニウム錯体を含む、請求項９に記載の方法。
【請求項１１】
特性付与化合物が
−式(ＩＩＩ)：
【化５】
2019534078.tif 000005
〔式中、
Ｘ１〜Ｘ４およびＬは上で定義されるとおりであり、そして
ｍは１、２、３または４を表す〕
のヨウ素化化合物、または
−式
【化６】
2019534078.tif 000006
〔式中、
ｍは１、２、３または４を表す〕
のヨウ素化部分を含むポリマー
である、請求項９に記載の方法。
【請求項１２】
特性付与化合物が
−式(Ｖａ)：
【化７】
2019534078.tif 000007
〔式中、
Ｘ１〜Ｘ４およびＬは上で定義されるとおりであり、
Ｒ１、Ｒ２、Ｒ３およびＲ４はそれぞれ、独立して水素原子またはＣ１−Ｃ６アルキル基から選択され、
Ｒ５は水素原子、ＣＯＯＨまたはＣ(Ｏ)ＯＣ１−Ｃ６アルキル基から選択される〕
のローダミン誘導体
−式(Ｖｂ)：
【化８】
2019534078.tif 000008
〔式中、
Ｘ１〜Ｘ４およびＬは上で定義されるとおりであり、
ｐ’は０または１であり、
ｑ’は０または１であり、
ｐ’が０ならば、ＲｋはＨであり、
ｑ’が０ならば、ＲｊはＨであり、
ｐ’が１でありｑ’が１ならば、ＲｊおよびＲｋは双方ともＨであるか、一体となって−ＣＨ２ＣＨ２ＣＨ２−架橋基を形成し、
ＲｄはＨおよびＳＯ３Ｎａから選択され、ＲｅはＨであるか、一体となって、ＲｄとＲｅは−ＣＨ２ＣＨ２ＣＨ２−または−ＣＨＣＨＣＨ−架橋基を形成し、
ＲｇはＨおよびＳＯ３Ｎａから選択され、ＲｆはＨであるか、一体となって、ＲｆとＲｇは−ＣＨ２ＣＨ２ＣＨ２−または−ＣＨＣＨＣＨ−架橋基を形成し、
Ｒｈは、好ましくは末端炭素原子上で場合によりＳＯ３−またはＣＯＯＨ基で置換されていてよい(Ｃ１−Ｃ６)アルキル基であり、
Ｒｉは好ましくは末端炭素原子上で場合によりＳＯ３ＮａまたはＣＯＯＨ基で置換されていてよい(Ｃ１−Ｃ６)アルキル基である〕
のシアニン誘導体、または
−式(Ｖｃ)：
【化９】
2019534078.tif 000009
〔式中、
Ｘ１〜Ｘ４およびＬは上で定義されるとおりであり、
Ｒ’はＨまたは−ＣＨ２ＣＨ２ＣＯＯＨまたは−ＣＨ＝ＣＨＣＯＯＨ基を表す〕
のフルオレセイン誘導体
である、請求項９に記載の方法。
【請求項１３】
式(ＶＩ)：
【化１０】
2019534078.tif 000010
〔式中、
Ｘ１、Ｘ２、Ｘ３およびＸ４は独立して、水素またはフッ素原子、Ｃ１−Ｃ６アルキル基、ＮＯ２またはＯＨを表し、
ＬはＮＨ、−Ｃ(Ｏ)Ｏ−、−Ｓ−、−Ｃ(Ｏ)ＮＨ−、−ＮＨＣ(Ｏ)−、−ＯＣ(Ｏ)−、−ＮＨＣ(Ｏ)ＮＨ−、−Ｃ(Ｏ)ＮＲＣ(Ｏ)−(式中、ＲはＣ１−Ｃ６アルキルまたはトリアゾリルを表す)、好ましくはＮＨ、−Ｃ(Ｏ)Ｏ−、−Ｓ−、−Ｃ(Ｏ)ＮＨ−、−ＮＨＣ(Ｏ)−、−ＯＣ(Ｏ)−、−ＮＨＣ(Ｏ)ＮＨ−、または−ＮＨＣ(Ｓ)ＮＨ−、さらにより好ましくは−Ｃ(Ｏ)ＮＨ−、−ＮＨＣ(Ｏ)−、−Ｃ(Ｏ)Ｏ−、ＮＨまたは−ＮＨＣ(Ｓ)ＮＨ−を表す〕
のアリールアミノ部分の窒素原子を介して特性付与化合物でグラフト化された表面修飾ポリマー基質であって、前記特性付与化合物が防汚特性、抗菌特性を提供する、またはＭＲＩ蛍光画像のような医用画像において基質を放射線不透過性にするまたは可視化するまたは近赤外画像により可視化し、ただし前記特性付与化合物がポリマーであるとき、それは繰り返し単位Ａに富むブロックまたは領域を有するブロックまたはグラジエントコポリマーであり、ここで前記繰り返し単位Ａは表面修飾基質の表面に共有結合した窒素原子を有する、上で定義される式(ＶＩ)のアリールアミノ部分を含む、表面修飾ポリマー基質。
【請求項１４】
ポリマー基質が埋め込み型ポリマー基質である、請求項１３に記載の表面修飾基質。
【請求項１５】
ポリマー基質が脂肪族ポリエステルおよびコポリエステル、脂肪族ポリエステルおよびポリエーテルのコポリマー、ポリカーボネート、ポリジオキサノン、ポリプロピレン、ポリエチレン、ポリエチレンテレフタレート、ポリエチレンオキシド、ポリ尿素、ポロキサマー、ポロキサミン、シリコーン、ポリカルボキシレート、ポリエーテルエーテルケトン、ＡＢＳ、ポリスチレン、ポリ塩化ビニルならびにポリアクリレートから選択される、請求項１３または１４に記載の表面修飾基質。
【請求項１６】
特性付与化合物が繰り返し単位Ａに富むブロックまたは領域を有する親水性ブロックまたはグラジエントコポリマーであり、前記繰り返し単位Ａが表面修飾基質の表面に共有結合した窒素原子を有する請求項１２で定義される式(ＶＩ)の光活性アリールアミノ部分を含み、親水性ブロックまたはグラジエントコポリマーが防汚特性を付与し、ポリカチオン性ブロックまたはグラジエントコポリマーが抗菌特性を付与する、前記請求項１３〜１５のいずれか一項に記載の表面修飾基質。
【請求項１７】
親水性ブロックまたはグラジエントコポリマーが少なくとも繰り返し単位ＡおよびＢを含み、ここで
繰り返し単位Ａが請求項１２で定義される式(ＶＩ)の光活性アリールアミノ部分を含み、
繰り返し単位Ｂが請求項１２で定義される式(ＶＩ)の光活性アリールアミノ部分を含まない、
請求項１６に記載の表面修飾基質。
【請求項１８】
繰り返し単位Ａと繰り返し単位Ｂのモル比(繰り返し単位Ａ／繰り返し単位Ｂ)が０．０１％〜５０％、好ましくは０．１％〜２０％、さらにより好ましくは０．５％〜１０％のものである、請求項１７に記載の表面修飾基質。
【請求項１９】
親水性ブロックまたはグラジエントコポリマーがポリ(エチレングリコール)、ポリ(エチレンオキシド)、ポリ((メタ)アクリレートＰＥＧ)、ポリ((Ｃ１−Ｃ６)アルキルアミノ(メタ)アクリレート)、２００００ｇ．ｍｏｌ−１未満の分子量を有する直鎖状ポリ(四級アンモニウム)、双性イオン性ポリ(ベタイン)、ポリ(ビニルピロリドン)、ポリリシン、ポリオキサゾリン、ポリオキサジン、ポリサルコシンブロックまたはグラジエントコポリマーまたはポリオキサゾリン−ポリサルコシンブロック−コポリマーまたはポリオキサゾリン−ポリオキサジンコポリマーである、請求項１６〜１８のいずれか一項に記載の表面修飾基質。
【請求項２０】
特性付与化合物が、
−四級化ポリマーがＣ３−Ｃ１５アルキル、好ましくはＣ７−Ｃ９アルキルで四級化された四級化ポリ(ビニルピリジン)、四級化ポリ(ジメチルアミノエチルアクリレート)、直鎖状四級化ポリ(エチレンイミン)、ポリリシン、四級化ポリリシン、四級化ポリ(５−アミノ−δ−バレロラクトン)のコポリエステル、四級化ポリオキサゾリン−ポリエチレンイミンコポリマー、
−式(ＶＩＩａ)：
【化１１】
2019534078.tif 000011
〔式中、
Ｘ１〜Ｘ４およびＬは請求項１２で定義されるとおりであり、
ｑは０〜１０、好ましくは１〜８の整数であり、
ｒは０〜３０００、好ましくは０〜５００の整数であり、そして
Ｒ１およびＲ２はそれぞれ、独立して水素原子またはＣ１−Ｃ６アルキル基から選択され、
Ｒ３は独立して水素原子またはＣ１−Ｃ９アルキル基から選択され、そして
Ｂ−は薬学的に許容されるアニオンを表す〕
の四級アンモニウム、
−式(ＶＩＩｂ)：
【化１２】
2019534078.tif 000012
〔式中、
Ｘ１〜Ｘ４およびＬは請求項１２で定義されるとおりであり、
ｑは０〜１０、好ましくは１〜８の整数であり、
ｒは０〜３０００、好ましくは０〜５００の整数であり、
Ｒ１およびＲ２はそれぞれ、独立して水素原子またはＣ１−Ｃ６アルキル基から選択され、
Ｒ３は独立して水素原子またはＣ１−Ｃ９アルキル基から選択され、
Ｂ−は薬学的に許容されるアニオンを表す〕
の四級ホスホニウム、
−式(ＶＩＩｃ)
【化１３】
2019534078.tif 000013
〔式中、
Ｘ１〜Ｘ４およびＬは請求項１２で定義されるとおりであり、
ｑは０〜１０、好ましくは１〜８の整数であり、
ｒは０〜３０００、好ましくは０〜５００の整数であり、
Ｒは水素原子またはＣ１−Ｃ６アルキル基から選択され、そして
Ｂ−は薬学的に許容されるアニオンを表す〕
の四級ピリジニウム、
−好ましくはポリアルギニン(例えばオクタアルギニンＡｒｇ８)、オーレインおよびポリミキシンＢから選択され、上で定義される式(Ｉ)の残基を含む２５個以下のアミノ酸の抗菌性ペプチド
から選択される抗菌剤である、請求項１３または１４に記載の表面修飾基質。
【請求項２１】
特性付与化合物が放射線不透過性ヨード造影剤、ガドリニウム錯体、蛍光化合物または近赤外蛍光化合物であり、ポリマー基質が好ましくは埋め込み型である、請求項１３または１４に記載の表面修飾基質。
【請求項２２】
特性付与化合物がＤＯＴＡ(１，４，７，１０−テトラアザシクロドデカン−１，４，７，１０−テトラ酢酸)、ＤＴＰＡ(ジエチレントリアミノペンタ酢酸)、ＤＯ３Ａ(１，４，７，１０−テトラアザシクロドデカン−１，４，７−トリ酢酸)、ＨＰＤＯ３Ａ(１０−(２−ヒドロキシプロピル)−１，４，７，１０−テトラアザ−シクロドデカン−１，４，７−トリ酢酸)、ＴＲＩＴＡ(１，４，７，１０−テトラキス(カルボキシメチル)−１，４，７，１０−テトラアザシクロトリデカン)、ＴＥＴＡ(１，４，８，１１−テトラキス(カルボキシメチル)−１，４，８，１１−テトラアザシクロテトラデカン)、ＢＯＰＴＡ(４−カルボキシ−５，８，１１−トリス(カルボキシメチル)−１−フェニル−２−オキサ−５，８，１１−トリアザトリデカン−１３−酸)、ＮＯＴＡ(１，４，７−トリアザシクロノナン−Ｎ，Ｎ’，Ｎ４４−トリ酢酸)、ＰＣＴＡ(３，６，９，１５−テトラアザビシクロ［９．３．１］ペンタデカ−１(１５)，１１，１３−トリエン−３，６，９−トリ酢酸)、ＤＯＴＭＡ((α、α’、α’’、α’’’)−テトラメチル−１，４，７，１０−テトラアザシクロドデカン−１，４，７，１０−テトラ酢酸)、ＡＡＺＴＡ(６−アミノ−６−メチルペルヒドロ−１，４−ジアゼピンテトラ酢酸)およびＨＯＰＯ(１−ヒドロキシピリジン−２−オン)のガドリニウム錯体を含む、請求項２１に記載の表面修飾基質。
【請求項２３】
特性付与化合物が
−式(ＶＩＩＩ)：
【化１４】
2019534078.tif 000014
〔式中、
Ｘ１〜Ｘ４およびＬは請求項１２で定義されるとおりであり、そして
ｍは１、２、３または４を表す〕
のヨウ素化化合物、
−式
【化１５】
2019534078.tif 000015
〔式中、
ｍは１、２、３または４を表す〕
のヨウ素化部分、または
【化１６】
2019534078.tif 000016
またはトリヨードフェニル部分
【化１７】
2019534078.tif 000017
含むポリマー
である、請求項２１に記載の表面修飾基質。
【請求項２４】
特性付与化合物が
−式(Ｘａ)：
【化１８】
2019534078.tif 000018
〔式中、
Ｘ１〜Ｘ４およびＬは請求項１２で定義されるとおりであり、
Ｒ１、Ｒ２、Ｒ３およびＲ４はそれぞれ、独立して水素原子またはＣ１−Ｃ６アルキル基から選択され、
Ｒ５は水素原子、ＣＯＯＨまたはＣ(Ｏ)ＯＣ１−Ｃ６アルキル基から選択される〕
のローダミン誘導体
−式(Ｘｂ)：
【化１９】
2019534078.tif 000019
〔式中、
Ｘ１〜Ｘ４およびＬは請求項１２で定義されるとおりであり、
ｐ’は０または１であり、
ｑ’は０または１であり、
ｐ’が０ならば、ＲｋはＨであり、
ｑ’が０ならば、ＲｊはＨであり、
ｐ’が１でありｑ’が１ならば、ＲｊおよびＲｋは双方ともＨであるか、一体となって−ＣＨ２ＣＨ２ＣＨ２−架橋基を形成し、
ＲｄはＨおよびＳＯ３Ｎａから選択され、ＲｅはＨであるか、一体となって、ＲｄとＲｅは−ＣＨ２ＣＨ２ＣＨ２−または−ＣＨＣＨＣＨ−架橋基を形成し、
ＲｇはＨおよびＳＯ３Ｎａから選択され、ＲｆはＨであるか、一体となって、ＲｆとＲｇは−ＣＨ２ＣＨ２ＣＨ２−または−ＣＨＣＨＣＨ−架橋基を形成し、
Ｒｈは、好ましくは末端炭素原子上で場合によりＳＯ３−またはＣＯＯＨ基で置換されていてよい(Ｃ１−Ｃ６)アルキル基であり、
Ｒｉは好ましくは末端炭素原子上で場合によりＳＯ３ＮａまたはＣＯＯＨ基で置換されていてよい(Ｃ１−Ｃ６)アルキル基である〕
のシアニン誘導体、または
−式(Ｘｃ)：
【化２０】
2019534078.tif 000020
〔式中、
Ｘ１〜Ｘ４およびＬは上で定義されるとおりであり、
Ｒ’はＨまたは−ＣＨ２ＣＨ２ＣＯＯＨまたは−ＣＨ＝ＣＨＣＯＯＨ基を表す〕
のフルオレセイン誘導体
である、請求項２１に記載の表面修飾基質。
【請求項２５】
請求項１４〜２４のいずれか一項に記載の埋め込み型表面修飾基質を含む医療デバイス。
【請求項２６】
インプラント、カテーテル、埋め込み型メッシュ、埋め込み型膜、ステント、ドレーン、血管移植片、埋め込み型ガイドおよび埋め込み型組織として適切である、請求項２５に記載の医療デバイス。